(57)【要約】【課題】便座及びカバーを円滑に昇降させ、かつ上昇位置において安定させることができる水洗式便器を提供する。【解決手段】水洗式便器は、便鉢部１１を有する便器本体１０と、便鉢部１１へ洗浄水を供給する便器洗浄装置２０と、便器洗浄装置２０を載置し、便鉢部１１より後方の便器本体１０の上面に取り付けられた第１ベースプレート３０と、便器本体１０の後部の上方に配置され、便器洗浄装置２０を覆うカバー４０と、カバー４０の前面下部に軸支された便座４１と、カバー４０内に収納され、便座４１及びカバー４０を昇降可能に保持する昇降装置５０とを備えている。昇降装置５０は、昇降装置本体５１と、昇降装置本体５１から上方に突出し、上下方向に往復運動可能な昇降部材５２とを有している。昇降部材５２の上端面５２Ｕをカバー４０の上端部４３の内面に当接させ、昇降部材５２の上方向への移動により便座４１及びカバー４０を上昇させる。【選択図】図１
2010281130.tif 000002
【特許請求の範囲】
【請求項１】
便鉢部を有する便器本体と、便鉢部へ洗浄水を供給する便器洗浄装置と、便器洗浄装置を載置し、便鉢部より後方の便器本体の上面に取り付けられた第１ベースプレートと、便器本体の後部の上方に配置され、便器洗浄装置を覆うカバーと、カバーの前面下部に軸支された便座と、カバー内に収納され、便座及びカバーを第１ベースプレートに対して昇降可能に保持する昇降装置とを備えた水洗式便器であって、
前記昇降装置は、昇降装置本体と、昇降装置本体から上方に突出し、上下方向に往復運動可能な昇降部材とを有し、
昇降部材の上端面を前記カバーの上端部の内面に当接させ、昇降部材の上方向への移動により便座及びカバーを上昇させることを特徴とする水洗式便器。
【請求項２】
前記昇降部材の上端面は前記カバーの上端部の内面に連結されていることを特徴とする請求項１記載の水洗式便器。
【請求項３】
前記カバーの下端開口の前部に取り付けられ、前記昇降装置により便座及びカバーと共に昇降し、下降時には前記第１ベースプレートより前側に配置される第２ベースプレートを備え、第１ベースプレートには第２ベースプレートの昇降を案内する案内部材が取り付けられていることを特徴とする請求項１又は２記載の水洗式便器。
【請求項４】
前記昇降部材は側面の所定の箇所に設けられた凹部を有し、前記昇降装置本体は、昇降部材の側面に向けて進退し、凹部に係止可能な係止部材を有していることを特徴とする請求項１乃至３のいずれか１項記載の水洗式便器。
【請求項５】
前記昇降装置は前記第１ベースプレートよりも所定間隔を空けて上方に配置されていることを特徴とする請求項１乃至４のいずれか１項記載の水洗式便器。
【請求項６】
前記第１ベースプレートに立設され、上面に前記昇降装置本体が取り付けられた支持台を備えていることを特徴とする請求項５記載の水洗式便器。
【発明の詳細な説明】
【技術分野】
【０００１】
本発明は水洗式便器に関する。
【背景技術】
【０００２】
特許文献１に従来の水洗式便器が開示されている。この水洗式便器は、便鉢部を有する便器本体と、洗浄水が貯留される洗浄タンクを有する便器洗浄装置とを備えている。便器洗浄装置は、便鉢部より後方の便器本体の上面に取り付けられた第１ベースプレートの上面に載置されている。便器洗浄装置はカバーに覆われている。カバーは前面の下部に便座及び便蓋を軸支している。第１ベースプレートの前部の上面には直接的に昇降装置が取り付けられている。昇降装置は、カバーの前半部の下端開口に取り付けられた第２ベースプレートに連結され、第２ベースプレートを昇降可能に保持している。このため、第２ベースプレート、カバーの前半部、便座及び便蓋は、昇降装置により第１ベースプレートに対して昇降可能である。
【０００３】
この水洗式便器では、便座、便蓋、カバーの前半部及び第２ベースプレートを上昇させることにより、便鉢部より後方の便器本体の上面を清掃することができる。
【先行技術文献】
【特許文献】
【０００４】
【特許文献１】特開２０００−３３０５１号公報
【発明の概要】
【発明が解決しようとする課題】
【０００５】
しかし、上記従来の水洗式便器では、カバーの前半部の下端開口に取り付けられた第２ベースプレートが昇降装置に昇降可能に保持されているため、昇降時及び上昇位置においてカバーの上端部がふらついてしまう。特に、便器洗浄装置が洗浄タンクを有する場合、カバーが上下方向に長くなるため、その下端開口に取り付けられた第２ベースプレートを保持するのみでは、昇降時及び上昇位置においてカバーがふらついてしまう。
【０００６】
本発明は、上記従来の実情に鑑みてなされたものであって、便座及びカバーを円滑に昇降させ、かつ上昇位置において安定させることができる水洗式便器を提供することを解決すべき課題としている。
【課題を解決するための手段】
【０００７】
本発明の水洗式便器は、便鉢部を有する便器本体と、便鉢部へ洗浄水を供給する便器洗浄装置と、便器洗浄装置を載置し、便鉢部より後方の便器本体の上面に取り付けられた第１ベースプレートと、便器本体の後部の上方に配置され、便器洗浄装置を覆うカバーと、カバーの前面下部に軸支された便座と、カバー内に収納され、便座及びカバーを第１ベースプレートに対して昇降可能に保持する昇降装置とを備えた水洗式便器であって、
前記昇降装置は、昇降装置本体と、昇降装置本体から上方に突出し、上下方向に往復運動可能な昇降部材とを有し、
昇降部材の上端面を前記カバーの上端部の内面に当接させ、昇降部材の上方向への移動により便座及びカバーを上昇させることを特徴とする。
【０００８】
この水洗式便器では、カバーの上端部の内面に昇降装置の昇降部材の上端面が当接し、カバーが上昇され、上昇位置に保持される。このため、便座及びカバーの昇降時及び上昇位置において、カバーのふらつきを防止することができる。
【０００９】
したがって、本発明の水洗式便器は便座及びカバーを円滑に昇降させ、かつ上昇位置において安定させることができる。
【００１０】
前記昇降部材の上端面は前記カバーの上端部の内面に連結され得る。この場合、カバーを持ち上げることにより、昇降装置の昇降部材を上方に移動させることができ、便座及びカバーを上昇位置に保持させることができる。
【００１１】
前記カバーの下端開口の前部に取り付けられ、前記昇降装置により便座及びカバーと共に昇降し、下降時には前記第１ベースプレートより前側に配置される第２ベースプレートを備え、第１ベースプレートには第２ベースプレートの昇降を案内する案内部材が取り付けられ得る。この場合、便座及びカバーの昇降を安定して行なうことができる。
【００１２】
前記昇降部材は側面の所定の箇所に設けられた凹部を有し、前記昇降装置本体は、昇降部材の側面に向けて進退し、凹部に係止可能な係止部材を有し得る。この場合、係止部材が凹部に係止することにより、便座及びカバーを所定の位置に保持することができる。特に、便座及びカバーの上昇位置及び下降位置において、係止部材が係止するように凹部を設ければ、便座及びカバーを夫々の位置に保持させることができる。
【００１３】
前記昇降装置は前記第１ベースプレートよりも所定間隔を空けて上方に配置され得る。この場合、昇降装置が便器本体の上面から離れた上方に取り付けられているため、便器本体の上面に取り付けられた他の部品に干渉することなく容易に取り付けることができる。また、昇降装置は尿や便器本体の洗浄時に洗浄液がかかり難い位置に配置されているため、腐食し難く、便座及びカバーを円滑に昇降させることができる。
【００１４】
前記第１ベースプレートに立設され、上面に前記昇降装置本体が取り付けられた支持台を備え得る。この場合、昇降装置を便器本体の上面から離れた上方に容易かつ安定して取付けることができる。
【図面の簡単な説明】
【００１５】
【図１】実施例の水洗式便器の内部を示す斜視図である。
【図２】実施例の要部を示す分解図である。
【図３】実施例の昇降部材の下降位置を示す正面図である。
【図４】実施例の昇降部材の上昇位置を示す正面図である。
【図５】実施例の要部を示す断面図である。
【図６】実施例の第２ベースプレートを示す分解図である。
【図７】実施例の水洗式便器においてカバー等の上昇位置を示す斜視図である。
【発明を実施するための形態】
【００１６】
本発明を具体化した実施例を図面を参照しつつ説明する。
【実施例】
【００１７】
実施例の水洗式便器は、図１に示すように、便器本体１０、便器洗浄装置２０、第１ベースプレート３０、カバー４０、便座４１、便蓋４２、昇降装置５０、支持台６０及び第２ベースプレート７０を備えている。
【００１８】
便器本体１０は便鉢部１１を有している。便器洗浄装置２０は、図示しない水道管に接続され、洗浄水を貯留する洗浄タンク２１を有している。洗浄タンク２１の底面には、図示しない流出口が貫設されており、流出口には図示しないフロート弁が設けられている。洗浄タンク２１に貯留された洗浄水は、フロート弁を開弁することにより、便鉢部１１へ供給される。
【００１９】
洗浄タンク２１は、第１ベースプレート３０に載置されている。第１ベースプレート３０は、下面から下方に延びる図示しないボルトが便器本体１０に貫設された図示しない取付孔に挿通され、取付孔を挿通したボルトの下端からナットを締付けることにより便鉢部１１より後方の便器本体１０の上面に取り付けられている。
【００２０】
第１ベースプレート３０は、図１及び図２に示すように、周囲に隔壁３１が立設されている。第１ベースプレート３０の中央部には、洗浄タンク２１が載置される中央載置部３２が設けられている。中央載置部３２には、洗浄タンクの流出口が連結される開口部３２Ａが貫設されている。第１ベースプレート３０の前部には支持台６０が載置される前載置部３３が設けられている。
【００２１】
支持台６０は、左右に離れて立設する一対の脚部６１を有している。また、支持台６０は、両脚部６１の各上端部を連結する上連結部６２と、各下端部を連結する下連結部６３とを有している。上連結部６２には左右方向に延びる台部６２Ｌ、６２Ｒが連続して形成されている。下連結部６３は第１ベースプレート３０の前載置部３３に上方からビスＢにより螺子止めされ、固定されている。このようにして、支持台６０は第１ベースプレート３０に立設されている。
【００２２】
支持台６０の両脚部６１の内側面には、凸条のガイド部６４が上下方向に延びて形成されている。ガイド部６４は、下連結部６３の上面から上連結部６２の下面よりも所定間隔を空けた位置まで延びている。ガイド部６４の上端部より上側の両脚部６１には、ガイド部６４が凸設されていないため、第２ベースプレート７０に設けられた被ガイド部７１を両脚部６１間に挿入し、被ガイド部７１の両側面に設けられ、上下方向に延びる案内溝７２にガイド部６４を挿入することができる。支持台６０のガイド部７１が案内溝７２に挿入された状態で被ガイド部７１が設けられた第２ベースプレート７０を昇降させることができるため、支持台６０は第２ベースプレート７０の昇降を案内する案内部材を兼ねている。
【００２３】
支持台６０の上連結部６２の上面には、後端縁に沿って左右に離れて配置された一対の係止爪６５が設けられている。また、上連結部６２の上面には、前端縁側に左右に離れて配置された一対の螺子固定部６６が設けられている。
【００２４】
支持台６０の上連結部６２の上面には昇降装置５０が配置されている。昇降装置５０は、図３及び図４に示すように、昇降装置本体５１と、昇降装置本体５１から上方に突出し、上下方向に往復運動可能な昇降部材５２とを有している。昇降装置本体５１には、モーターＭ及びギアが組み込まれている。昇降装置本体５１のモーターＭを駆動させることにより、昇降部材５２を上下方向に往復運動させることができる。
【００２５】
昇降装置本体５１の左右上端部には、昇降部材５２の左右側面に向けて進退する係止部材５４Ａを収納する収納部５４が形成されている。収納部５４内には、係止部材５４Ａの後方に配置され、係止部材５４Ａを昇降部材５２の左右側面に向けて付勢するバネ部材５４Ｂも収納されている。係止部材５４Ａの内側面は、上端角部から連続して垂下する第１垂直面Ｓ１と、垂直面Ｓ１の下端部に連続し、垂直面Ｓ１との間で鈍角を形成して内側に屈曲し、下方へ傾斜する第１傾斜面Ｓ２と、第１傾斜面Ｓ２の下端部に連続し、垂下する第２垂直面Ｓ３と、第２垂直面Ｓ３の下端部に連続し、第２垂直面Ｓ３の下方への延長線に対して鋭角を形成して外側に屈曲し、下方へ傾斜する第２傾斜面Ｓ４とから形成されている。
【００２６】
昇降部材５２は、図３に示すように、左右側面に設けられ、下降位置において係止部材５４Ａの第２傾斜面Ｓ４に当接して係止する下端角部Ｋを有する上側凹部５２Ａを有している。このため、上側凹部５２Ａの下端角部Ｋに係止部材５４Ａの第２傾斜面Ｓ４が係止することにより、昇降部材５２を下降位置に保持することができる。つまり、便座４１、便蓋４２及びカバー４０を下降位置に保持することができる。
【００２７】
また、昇降部材５２が下降位置から上昇する際には、第２傾斜面Ｓ４が上方に向けて緩やかに内側に傾斜しているため、係止部材５４Ａは収納部５４内へ徐々に移動する。このため、昇降部材５２を上昇させ、係止部材５４Ａの上側凹部５２Ａへの係止を解除するには大きな力を要しない。
【００２８】
また、昇降部材５２は、図４に示すように、左右側面に設けられ、上昇位置において係止部材５４の第１傾斜面Ｓ２が当接して係止する上部傾斜面Ｕを有する下側凹部５２Ｂを有している。このため、下側凹部５２Ｂの上部傾斜面Ｕに係止部材５４の第１傾斜面Ｓ２が係止することにより、昇降部材５２を上昇位置に保持することができる。つまり、便座４１、便蓋４２及びカバー４０を上昇位置に保持することができる。
【００２９】
また、第１傾斜面Ｓ２が下方へ向けて急激に内側に傾斜しているため、昇降部材５２を下降させる力が瞬間的に加えられた場合、係止部材５４の第１傾斜面Ｓ２がその力を受けて急激に昇降部材５２が下降してしまうことを防止することができる。また、昇降部材５２の左右両側面に設けられた下側凹部５２Ｂに対向するように両側から係止部材５４を係止させるため、昇降部材５２を安定して保持することができる。
【００３０】
昇降装置本体５１の左右側面の下端部には、図２〜図４に示すように、支持台６０の上連結部６２の上面に設けられた係止爪６５に係止する係止凸部５３が形成されている。昇降装置本体５１を支持台６０の前方から移動させ、係止凸部５３を係止爪６５に係止させ、ビスＢを昇降装置本体５１の前面の左右下端部に貫設された貫通孔に挿通させ、螺子固定部６６にねじ込む。このようにして、昇降装置本体５１は、支持台６０の上連結部６２の上面に取り付けられている。このように、昇降装置５０は便器本体１０の上面から離れた上方に取り付けられている。このため、他の部品に干渉することなく、昇降装置５０を便器本体１０の上面から離れた上方に容易且つ安定して取り付けることができる。また、尿や便器本体１０の洗浄時に洗浄液がかかり難い位置に昇降装置５０を配置することができる。
【００３１】
支持台６０の上連結部６２の左右方向に延びる台部６２Ｌ、６２Ｒの上面には、図１に示すように、制御基板Ｃ１、Ｃ２が夫々載置されて固定されている。このように、空いたスペースを利用して制御基板Ｃ１、Ｃ２を配置することができる。制御基板Ｃ１、Ｃ２は昇降装置５０のモーターＭの駆動や便器洗浄装置２０のフロート弁の開閉駆動や後述する局部洗浄装置の駆動を制御するものである。
【００３２】
昇降部材５２の上端面５２Ｕは、図２〜図５に示すように、カバー４０の上端部４３の内面に当接されている。つまり、カバー４０の上端部４３に形成された凹部４３Ｃの底部の内面に当接されている。凹部４３Ｃの底部には、貫通孔が貫設されており、上方から挿入されたビスＢが昇降部材５２の上端面５２Ｕにねじ込まれている。これにより、昇降部材５２の上端面５２Ｕはカバー４０の上端部の内面に連結されている。このため、昇降部材５２の上下方向の往復運動に伴って、カバー４０も上下方向に往復運動させることができる。この際、昇降部材５２はカバー４０の上端部４３を支持することになる。このため、カバー４０の昇降時及び上昇位置において、カバー４０及びカバー４０の前面下部に軸支された便座４１及び便蓋４２のふらつきを防止することができる。
【００３３】
したがって、実施例の水洗式便器は便座４１、便蓋４２及びカバー４０を円滑に昇降させ、かつ上昇位置において安定させることができる。
【００３４】
また、昇降部材５２の上端面５２Ｕがカバー４０の上端部の内面に連結されているため、カバー４０を持ち上げることにより、昇降部材５２を上方に移動させることができ、便座４１、便蓋４２及びカバー４０を上昇位置に保持させることができる。
【００３５】
カバー４０は、図１及び図５に示すように、筒状に形成されている。カバー４０内には、便器洗浄装置２０、昇降装置５０、支持台６０、制御基板Ｃ１、Ｃ２及び後述する局部洗浄装置等が収納されている。カバー４０の上端部４３の上面には、吐水口４４Ａが設けられた手洗鉢４４が載置されている。
【００３６】
カバー４０の下端開口の前部には第２ベースプレート７０が取り付けられている。このため、第２ベースプレート７０は、昇降部材５２の上下方向の往復運動に伴って、カバー４０と共に上下方向の往復運動をする。第２ベースプレート７０には、左右中央部に局部洗浄装置の２本のノズルＮが前後方向に延びて組み付けられている。第２ベースプレート７０の上面には、ノズルＮ以外の図示しない局部洗浄装置の他の部品も組み付けられている。
【００３７】
第２ベースプレート７０の左右中央後部には、図６に示すように、第２ベースプレート７０の後端面７０Ｂより後方の上部に後端壁７３が立設されている。このように後端壁７３を第２ベースプレート７０の後端面７０Ｂより後方の上部に立設させることができるのは、昇降装置５０が支持台６０の上連結部６２の上面に取り付け、両脚部６１の間に被ガイド部７１を挿入することができるからである。これにより、局部洗浄装置のノズルＮを後端壁７３の前面に近づけて配置し、第２ベースプレート７０の前後方向の寸法を小さくすることができる。よって、便器本体１０の上面に第２ベースプレート７０を載置した際、第２ベースプレート７０の前端部と便鉢部１１の後部とのオーバーラップを小さくすることができる。
【００３８】
第２ベースプレート７０の後端壁７３の後面には、左右に分かれて上下方向に延びるＴ字状の突起部７４が形成されている。後端壁７３の左右中央の上端部には、後方に延び、貫通孔が形成された固定片７６が形成されている。
【００３９】
後端壁７３の後面に固定される被ガイド部７１は、後端壁７３に形成された突起部７４が挿入されるＴ字状の挿入溝７５が形成されている。被ガイド部７１の上面には後端壁７３に形成された固定片７６に対応した形状の凹部７７が形成されている。凹部７７には螺子孔が設けられている。
【００４０】
被ガイド部７１を第２ベースプレート７０の後端壁７３の後面に沿って下方から上昇させ、後端壁７３の突起部７４を挿入溝７５に挿入する。そして、固定片７６を凹部７７に嵌め合わせ、ビスＢを固定片７６の貫通孔に上方から挿通し、被ガイド部７１の上面に設けられた螺子孔にねじ込む。このようにして、固定壁７３の後面には被ガイド部７１が固定されている。
【００４１】
このように構成された第２ベースプレート７０は、カバー４０の下端開口の前部に取り付けられる前に、図２及び図５に示すように、被ガイド部７１を支持台６０の両脚部６１間の上部に挿入し、被ガイド部７１の案内溝７２にガイド部６４を挿入する。そして、第２ベースプレート７０を便器本体１０の上面に下降させる。この状態で、カバー４０を上方から降下させ、カバー４０の下端開口の前部に第２ベースプレート７０を取り付ける。
【００４２】
このように構成された水洗式便器では、図７に示すように、昇降装置５０が駆動し、昇降部材５２が上昇することにより、カバー４０、手洗鉢４４、便座４１、便蓋４２及び局部洗浄装置を組み付けた第２ベースプレート７０が上昇位置まで上昇する。また、昇降装置５０が駆動し、昇降部材５２が下降することにより、カバー４０等は、第２ベースプレート７０が便器本体１０の上面に載置される下降位置まで下降する。このように昇降する際、第２ベースプレート７０は支持台５０のガイド部６４に案内されて昇降するため、第２ベースプレート７０はスムーズに昇降する。このため、カバー４０、手洗鉢４４、便座４１、便蓋４２も安定して昇降することができる。
【００４３】
本発明は、上記記載及び図面によって説明した実施例に限定されるものではなく、例えばつぎのような実施例も本発明の技術的範囲に含まれる。
（１）実施例では、モーターを駆動することにより昇降部材を上下方向に往復運動させる昇降装置を採用したが、バネ部材が組み込まれ、その付勢力により昇降部材を上昇させる昇降装置を採用してもよい。
（２）実施例では、ガイド部が凸状に形成され、被ガイド部にガイド部が挿入される案内溝を形成しているが、ガイド部を凹状に形成し、被ガイド部にガイド部の挿入される突起部を設けてもよい。
（３）実施例では、便器洗浄装置が洗浄タンクを有していたが、洗浄タンクを有さず、水道管等の洗浄水の供給源と便鉢とを直接的に接続し、その供給路を開閉する開閉弁を有する便器洗浄装置であってもよい。
（４）実施例では、便座及び便蓋を備えていたが、便蓋を備えず、便座のみを備えるものであってもよい。
（５）実施例では、支持台は左右に離れて立設する一対の脚部を有していたが、中央部に上下方向に延びる一つの脚部を有し、上端部が左右に延びるＴ字状の支持台であってもよい。
（６）実施例では、支持台の上端部に左右方向に延びる台部を有していたが、台部を有さなくてもよい。
（７）実施例では、昇降装置本体の支持台が案内部材を兼ねていたが、支持台とは別に案内部材を設けてもよい。
（８）実施例では、昇降部材の左右両側面に凹部を設けたが、どちらか一方又は前面若しくは後面に設けても良い。この場合、昇降装置本体には、凹部に対応する位置に係止部材が設けられる。
【符号の説明】
【００４４】
１０…便器本体
１１…便鉢部
２０…便器洗浄装置
３０…第１ベースプレート
４０…カバー
４１…便座
４３…（カバーの）上端部
５０…昇降装置
５１…昇降装置本体
５２…昇降部材
５２Ｕ…（昇降部材の）上端面
５２Ａ、５２Ｂ…凹部（５２Ａ…上側凹部、５２Ｂ…下側凹部）
５４Ａ…係止部材
６０…支持台（案内部材）
７０…第２ベースプレート
【図１】
2010281130.tif 000003
【図２】
2010281130.tif 000004
【図３】
2010281130.tif 000005
【図４】
2010281130.tif 000006
【図５】
2010281130.tif 000007
【図６】
2010281130.tif 000008
【図７】
2010281130.tif 000009